(57)【要約】【課題】  被治療者が足を下におろしても伸ばしても適正な治療効果を得ることができ、かつ、フットレストを椅子側に収納できる電位治療装置を提供する。【解決手段】  椅子２とフットレスト４とが第１アクチュエータ５によって連結され、この第１アクチュエータ５のロッド５ｂの動きに伴って、フットレスト４の位置が変動する。フットレスト４の第２プレート４２が座部２１の下側に垂直に位置し、フットレスト４の第１プレート４１が第２プレート４２に重なった状態では、フットレスト４が座部２１の下側の収納位置に収納される。第１プレート４１が水平に開いた状態では、被治療者Ｃが足を下におろした際に足先が第１プレート４１の上に位置する。第１プレート４１と第２プレート４２とが座部２１の前方で座部２１とほぼ同じ高さに位置した状態では、被治療者Ｃが足を伸ばした際に足先が第１プレート４１の上に位置する。【選択図】  図４
2007202806.tif 000002
【特許請求の範囲】
【請求項１】
被治療者が座る椅子と、前記被治療者が前記椅子に座った際に足を載せられるフットレストとを備え、前記フットレストに足部電極が埋設された電位治療装置において、
前記椅子と前記フットレストとが可動な連結部材によって連結され、この連結部材の動きに伴って前記フットレストが、前記椅子の座部の下側の収納位置と、前記座部の前方の床面側位置と、前記座部の前方で前記座部とほぼ同じ高さの位置との各位置に位置するように、前記連結部材が可動であることを特徴とする電位治療装置。
【請求項２】
前記フットレストが板状の第１プレートと第２プレートとを備え、少なくとも前記第１プレートに前記足部電極が埋設されており、前記第１プレートと第２プレートとの端部同士がヒンジを介して開閉可能に接続され、
前記第１プレートと第２プレートとが閉じて重なった状態で前記ヒンジが前記床面側で板面がほぼ垂直に前記座部の下側の収納位置に位置し、前記被治療者の足先側に位置する前記第１プレートが開くことでこの第１プレートの板面が水平に前記座部の前方の床面側位置に位置し、前記第１プレートと第２プレートとが開いた状態で前記座部から離れて前記座部の前方で前記座部とほぼ同じ高さの位置に位置するように、前記フットレストと前記連結部材とが配設されていることを特徴とする請求項１に記載の電位治療装置。
【請求項３】
前記椅子の背もたれの傾斜角度が可変であり、前記背もたれを起こすと前記フットレストが前記座部の前方の床面側位置に位置し、前記背もたれを寝かすと前記フットレストが前記座部の前方で前記座部とほぼ同じ高さの位置に位置するように、前記背もたれと前記フットレストとが連動されていることを特徴とする請求項１または請求項２のいずれか１項に記載の電位治療装置。
【発明の詳細な説明】
【技術分野】
【０００１】
本発明は、フットレストに足部電極を備えた電位治療装置に関するものである。
【背景技術】
【０００２】
電位治療装置は、絶縁された人体に高電圧を与え、人体の周囲に形成された電界による生体刺激作用を利用して、治療を行うものである。このような電位治療装置には、被治療者が椅子に座った際に足を載せられるフットレスト（足載せ台）に足部電極を備えたものがある。この電位治療装置は、被治療者が座る椅子と、被治療者が椅子に座った際に被治療者の頭部上方に位置する頭部電極カバーと、フットレストとを備え、頭部電極カバーと椅子の座部とに電極が埋設され、フットレストには足部電極が埋設されている。そして、例えば、足部電極を接地し（アース電極とし）、頭部電極カバーと座部との電極に高電圧を印加することで、被治療者の人体の周囲に電界を形成するものである。
【０００３】
さらに、このような電位治療装置には、椅子の背もたれがリクライニング（後方傾斜）できるとともに、フットレストを椅子側に収納できるものが知られている（例えば、特許文献１参照。）。この電位治療装置は、板状のフットレストがリンクによって椅子に連結され、リンクを縮めた状態では、フットレストの板面が垂直な状態で座部の先端下側（背もたれの対向側の下側）に位置（収納）される。また、リンクを伸ばした状態では、フットレストの板面がほぼ水平な状態で座部の高さほどまで上昇し、かつ座部から離れて被治療者の足先側に位置する。そして、この状態で背もたれを寝かすことで、被治療者が背と足を伸ばして治療を受けられるものである。
【特許文献１】意匠登録第１２４７４３９号公報
【発明の開示】
【発明が解決しようとする課題】
【０００４】
ところで、上記のような電位治療装置では、リンクを伸ばして被治療者が足を伸ばした状態（背もたれを寝かした状態）でないと、適正な治療効果を得ることができなかった。すなわち、リンクを縮めた状態ではフットレストが垂直な状態で座部の下側に位置するため、被治療者が足を下におろして椅子に座った際にフットレストの上に足を載せることができない。そして、被治療者の足先に足部電極が位置しないため、このような状態で治療を受けても、被治療者の人体の周囲に電界が適正に形成されず、適正な治療効果が得られないこととなる。このため、適正な治療効果を得るには、被治療者が足を伸ばし、フットレストを足先に位置させて治療を受ける必要があった。そして、治療を行わないときにはフットレストを座部の下側に位置させて電位治療装置をコンパクトな状態にする、というのが実情であった。
【０００５】
そこで本発明は、被治療者が足を下におろしても伸ばしても適正な治療効果を得ることができ、かつ、フットレストを椅子側に収納できる電位治療装置を提供することを目的とする。
【課題を解決するための手段】
【０００６】
上記目的を達成するために請求項１に記載の発明は、被治療者が座る椅子と、前記被治療者が前記椅子に座った際に足を載せられるフットレストとを備え、前記フットレストに足部電極が埋設された電位治療装置において、前記椅子と前記フットレストとが可動な連結部材によって連結され、この連結部材の動きに伴って前記フットレストが、前記椅子の座部の下側の収納位置と、前記座部の前方の床面側位置と、前記座部の前方で前記座部とほぼ同じ高さの位置との各位置に位置するように、前記連結部材が可動であることを特徴としている。
（作用）
フットレストを座部の前方の床面側位置に位置させた状態では、被治療者が椅子に座って足を下におろした際に、足先がフットレストの上に位置する。また、フットレストを座部の前方で座部とほぼ同じ高さの位置に位置させた状態では、被治療者が椅子に座って足を伸ばした際に、足先がフットレストの上に位置する。さらに、フットレストを座部の下側の収納位置に位置させた状態では、フットレストが椅子側に収納された状態となる。
【０００７】
請求項２に記載の発明は、請求項１に記載の電位治療装置において、前記フットレストが板状の第１プレートと第２プレートとを備え、少なくとも前記第１プレートに前記足部電極が埋設されており、前記第１プレートと第２プレートとの端部同士がヒンジを介して開閉可能に接続され、前記第１プレートと第２プレートとが閉じて重なった状態で前記ヒンジが前記床面側で板面がほぼ垂直に前記座部の下側の収納位置に位置し、前記被治療者の足先側に位置する前記第１プレートが開くことでこの第１プレートの板面が水平に前記座部の前方の床面側位置に位置し、前記第１プレートと第２プレートとが開いた状態で前記座部から離れて前記座部の前方で前記座部とほぼ同じ高さの位置に位置するように、前記フットレストと前記連結部材とが配設されていることを特徴としている。
（作用）
フットレストの第１プレートと第２プレートとを重ねて座部の下側の収納位置に位置させた状態では、フットレストが椅子側に収納された状態となる。また、第１プレートを開いて水平に座部の前方の床面側位置に位置させた状態では、被治療者が椅子に座って足を下におろした際に、足先がフットレストの上に位置する。さらに、第１プレートと第２プレートとを開いて座部の前方で座部とほぼ同じ高さの位置に位置させた状態では、被治療者が椅子に座って足を伸ばした際に、足先がフットレストの上に位置する。
【０００８】
請求項３に記載の発明は、請求項１または請求項２のいずれか１項に記載の電位治療装置において、前記椅子の背もたれの傾斜角度が可変であり、前記背もたれを起こすと前記フットレストが前記座部の前方の床面側位置に位置し、前記背もたれを寝かすと前記フットレストが前記座部の前方で前記座部とほぼ同じ高さの位置に位置するように、前記背もたれと前記フットレストとが連動されていることを特徴としている。
（作用）
背もたれを起こしてフットレストを座部の前方の床面側位置に位置させた状態では、被治療者が背筋を立てて椅子に座り足を下におろした際に、足先がフットレストの上に位置する。また、背もたれを寝かしてフットレストを座部の前方で座部とほぼ同じ高さの位置に位置させた状態では、被治療者が椅子に座って背と足を伸ばした際に、足先がフットレストの上に位置する。
【発明の効果】
【０００９】
本発明によれば、被治療者が足を下におろしても伸ばしても、足先がフットレストの上、つまり足部電極の上に位置するため、被治療者の人体の周囲に電界が適正に形成され、適正な治療効果が得られる。また、フットレストを座部の下側の収納位置に位置させることで、フットレストを椅子側に収納して電位治療装置をコンパクトにすることができる。
【００１０】
さらに、請求項３に記載の発明によれば、背もたれとフットレストとが連動しているため、背もたれの動きに連動してフットレストが常に適正な位置、すなわち被治療者の足先に位置する。このため、被治療者は、背もたれとフットレストとを別々に動かす必要がない。
【発明を実施するための最良の形態】
【００１１】
以下、本発明を図示の実施形態に基づいて説明する。
【００１２】
図１は、本発明の実施形態に係わる電位治療装置１の斜視図である。この電位治療装置１は、主として、被治療者Ｃが座る椅子２と、被治療者Ｃが椅子２に座った際に被治療者Ｃの頭部上方に位置する頭部電極カバー３と、被治療者Ｃが椅子２に座った際に足を載せられるフットレスト４と、椅子２とフットレスト４とを連結する第１アクチュエータ５（連結部材、図４、５に示す）と、高電圧発生ユニット６とを備えている。
【００１３】
椅子２は絶縁物（表層材）で覆われ、その座部２１に座部電極（図示せず）が埋設され、この座部電極は高電圧発生ユニット６の電圧出力端子に接続されている。また、椅子２は、背もたれ２２の傾斜角度が可変なリクライニング型であり、図２、３に示す第２アクチュエータ７によって背もたれ２２の傾斜角度が変わるようになっている。すなわち、第２アクチュエータ７は電動シリンダで、座部２１の下側に配設されたフレーム２３に第２アクチュエータ７の基端部７ａが揺動可能に接続され、第２アクチュエータ７のロッド７ｂの先端部が背もたれ２２の基板２２ａの下端部に接続されている。また、背もたれ２２は、フレーム２３の第１揺動軸２３ａを中心に揺動（回動）可能に配設されている。そして、第２アクチュエータ７のロッド７ｂを伸ばすと（往動させると）、図２に示すように、背もたれ２２が第１揺動軸２３ａを中心に起き上がり、第２アクチュエータ７のロッド７ｂを縮めると（復動させると）、図３に示すように、背もたれ２２が第１揺動軸２３ａを中心に寝るようになっている。また、第２アクチュエータ７は、サイドウォール２４の外側（座部２１の反対側）に配設されたリモートコントローラ（図示せず）によって駆動制御されるようになっている。
【００１４】
頭部電極カバー３は絶縁物で覆われ、頭部電極（図示せず）が埋設され、この頭部電極は高電圧発生ユニット６の電圧出力端子に接続されている。
【００１５】
フットレスト４も絶縁物で覆われ、板状の第１プレート４１と第２プレート４２とを備え、第１プレート４１が被治療者Ｃの足先側に位置するように配設されている。この第１プレート４１には足部電極（図示せず）が埋設され、この足部電極は高電圧発生ユニット６のアース端子に接続されている。また、第１プレート４１と第２プレート４２とは、端部同士がトルクヒンジ４３（ヒンジ）を介して開閉可能に接続され、このようなフットレスト４が第１アクチュエータ５によって椅子２と連結されている。すなわち、図４、５に示すように、第２プレート４２の基板４２ａの上端部が、フレーム２３の第２揺動軸２３ｂに揺動（回動）可能に配設され、第２プレート４２の板面が垂直な状態ではトルクヒンジ４３が床面Ｆ側に位置するように配設されている。また、第１アクチュエータ５は電動シリンダで、その基端部５ａがフレーム２３に揺動可能に接続され、ロッド５ｂの先端部が第２プレート４２の基板４２ａの背面上部に接続されている。そして、第１アクチュエータ５のロッド５ｂを縮めると、図４に示すように、第２プレート４２の板面が垂直になる。また、第１アクチュエータ５のロッド５ｂを伸ばすと、図５に示すように、第２プレート４２が上昇し、この上昇に伴って第１プレート４１も上昇して、座部２１の座面と第２プレート４２と第１プレート４１との上面とがほぼ同一面上に配置される（フットレスト４が座部２１の前方で座部２１とほぼ同じ高さに位置する）ようになっている。さらに、第１プレート４１の先端部（自由端部）にはフック４１ａが取り付けられ、第２プレート４２の板面が垂直な状態で第１プレート４１を第２プレート４２に重ねると、図６に示すように、フック４１ａが第２プレート４２の上端部に係止し、第１プレート４１と第２プレート４２とが閉じた（重なった）状態が維持される。そして、このような状態で、フットレスト４が座部２１の先端下側（背もたれ２２の対向側の下側）の収納位置に位置（収納）される。また、第１アクチュエータ５は、第２アクチュエータ７と同様に、リモートコントローラによって駆動制御されるようになっており、第１アクチュエータ５と第２アクチュエータ７とは、椅子２の幅方向（図２〜５の奥行き方向）に並列に配設されている。
【００１６】
このような構造によって、フットレスト４が、主として３つ形態で位置するようになっている。すなわち、第２プレート４２の板面を垂直にして第１プレート４１を第２プレート４２に重ねた状態（図６に示す形態）では、フットレスト４が座部２１の先端下側の収納位置に位置する。また、この状態から第１プレート４１を水平に開いた状態（図４に示す形態）では、第１プレート４１が座部２１の前方の床面Ｆ側位置に水平に位置する。さらに、この状態から上記のように第２プレート４２が上昇し、第１プレート４１と第２プレート４２とが開きながら上昇した（座部２１から離れた）状態（図５に示す形態）では、座部２１の前方で座部２１とほぼ同じ高さの位置、つまり被治療者Ｃが足を前方に（水平に）伸ばす方向にフットレスト４（第１プレート４１）が位置するものである。
【００１７】
また、背もたれ２２の動きとフットレスト４の動きとが連動するように、第１アクチュエータ５と第２アクチュエータ７とが電気的（制御回路的）に連動されている。すなわち、第２アクチュエータ７のロッド７ｂが伸びて背もたれ２２が起き上がると、第１アクチュエータ５のロッド５ｂが縮んで第２プレート４２の板面が垂直になる（第１プレート４１が座部２１の前方の床面Ｆ側位置に位置する）。一方、第２アクチュエータ７のロッド７ｂが縮んで背もたれ２２が寝ると、第１アクチュエータ５のロッド５ｂが伸びて座部２１の前方で座部２１とほぼ同じ高さにフットレスト４が位置するように、第１アクチュエータ５と第２アクチュエータ７とが連動されている。そして、このような連動は、リモートコントローラからの１操作で制御できるようになっている。すなわち、１つの操作を行うことで、第１アクチュエータ５と第２アクチュエータ７とが同時に制御され、背もたれ２２とフットレスト４とが同時に動くようになっている。
【００１８】
高電圧発生ユニット６は、商用電源用の電源コード（図示せず）と、電圧を昇圧する昇圧トランス（高圧トランス）と、電圧を出力するための電圧出力端子と、アース接続（接地）されたアース端子とを備えている。そして、昇圧トランスによって発生された高電圧を、電圧出力端子を介してそれぞれ頭部電極および座部電極に印加するとともに、アース端子を介して足部電極をアース電位にするものである。なお、高電圧発生ユニット６の稼働、停止などは、リモートコントローラによって制御されるようになっている。
【００１９】
次に、このような構成の電位治療装置１の作動などについて説明する。
【００２０】
まず、治療を行わない場合には、上記図６に示す形態のように、フットレスト４の第２プレート４２を垂直にして第１プレート４１を第２プレート４２に重ねてフック４１ａを係止する。これにより、フットレスト４が座部２１の先端下側の収納位置に位置（収納）される。なお、この状態では、背もたれ２２が起き上がっている。次に、治療を行う場合には、上記図４に示す形態のように、第１プレート４１を開いて座部２１の前方の床面Ｆ側位置に水平に位置させる。そして、被治療者Ｃが背筋を立てて椅子２に座ると、図７に示すように、足を下におろした状態で足先が第１プレート４１の上に位置する。この状態で治療を受ける場合には、高電圧発生ユニット６を稼働させる。これにより、頭部電極および座部電極に高電圧が印加され、被治療者Ｃの人体の周囲に電界が形成されて、この電界によって治療がなされる。また、背と足を伸ばした状態で治療を受けたい場合には、上記図５に示す形態のように、リモートコントローラによって背もたれ２２を寝かせ、フットレスト４を座部２１の前方で座部２１とほぼ同じ高さに位置させる。これにより、被治療者Ｃが足を伸ばした際に、図８に示すように、足先が第１プレート４１の上に位置する。そして、高電圧発生ユニット６を稼働させると、被治療者Ｃの人体の周囲に電界が形成されて治療がなされるものである。さらに、治療を受けながら（高電圧発生ユニット６を稼働させながら）、背と足を伸ばしたり起こしたりして姿勢を変えたい場合には、リモートコントローラによって背もたれ２２とフットレスト４との位置を変えればよい。そして、治療が終了した際には、リモートコントローラによって背もたれ２２を起こして、フットレスト４の第２プレート４２を垂直に位置させ、第１プレート４１を第２プレート４２に重ねてフック４１ａを係止する。
【００２１】
以上のように本電位治療装置１によれば、被治療者Ｃが足を下におろしても前方に伸ばしても、足先がフットレスト４の第１プレート４１の上、つまり足部電極の上に位置する。すなわち、被治療者Ｃの両端部である頭部と足先とに電極が常に位置する。このため、高電圧発生ユニット６を稼働させた際に、被治療者Ｃの人体の周囲に電界が適正に形成され、適正な治療効果が得られる。また、フットレスト４を座部２１の下側の収納位置に位置させることで、フットレスト４を椅子２側に収納して電位治療装置１をコンパクトにすることができる。さらに、背もたれ２２とフットレスト４とが連動しているため、背もたれ２２の動きに連動してフットレスト４が常に適正な位置、すなわち被治療者Ｃの足先に位置する。このため、被治療者Ｃは、背もたれ２２とフットレスト４とを別々に動かすことなく、適正な治療を受けることができる。
【００２２】
以上、この発明の実施形態について説明したが、具体的な構成は、本実施形態に限られるものではなく、この発明の要旨を逸脱しない範囲の設計の変更等があっても、この発明に含まれる。例えば、本実施形態では、頭部電極と座部電極と足部電極とを備えているが、頭部電極と足部電極のみを備えた電位治療装置であってもよく、さらに複数の電極を備えてもよい。また、本実施形態では、板面が垂直な状態でフットレスト４が座部２１の先端下側の収納位置に位置（収納）されるようになっているが、板面が水平な状態でフットレスト４が座部２１の下側の収納位置に位置されるように配設してもよい。さらに、上記のような第１アクチュエータ５に限らず、リンク機構などその他の連結部材によって椅子２とフットレスト４とを連結してもよく、背もたれ２２の動きとフットレスト４の動きとを連動させなくてもよい（別個に作動させてもよい）ことは勿論である。例えば、背もたれ２２を起こした状態（第２アクチュエータ７のロッド７ｂを伸ばした状態）で、フットレスト４を座部２１の前方で座部２１とほぼ同じ高さに位置させる（第１アクチュエータ５のロッド５ｂを伸ばす）ようにしてもよい。
【図面の簡単な説明】
【００２３】
【図１】本発明の実施形態に係わる電位治療装置の斜視図である。
【図２】本発明の実施形態に係わる電位治療装置の第２アクチュエータのロッドを伸ばした状態を示す側面図。
【図３】本発明の実施形態に係わる電位治療装置の第２アクチュエータのロッドを縮めた状態を示す側面図。
【図４】本発明の実施形態に係わる電位治療装置の第１アクチュエータのロッドを縮めた状態を示す側面図。
【図５】本発明の実施形態に係わる電位治療装置の第１アクチュエータのロッドを伸ばした状態を示す側面図。
【図６】本発明の実施形態に係わる電位治療装置のフットレストを座部の下側の収納位置に収納した状態を示す側面図。
【図７】本発明の実施形態において、被治療者が足を下におろし背筋を立てて治療を受けている状態を示す側面図。
【図８】本発明の実施形態において、被治療者が背と足を伸ばして治療を受けている状態を示す側面図。
【符号の説明】
【００２４】
１          電位治療装置
２          椅子
２１        座部
２２        背もたれ
２２ａ      基板
２３        フレーム
２３ａ      第１揺動軸
２３ｂ      第２揺動軸
２４        サイドウォール
３          頭部電極カバー
４          フットレスト
４１        第１プレート
４１ａ      フック
４２        第２プレート
４２ａ      基板
４３        トルクヒンジ（ヒンジ）
５          第１アクチュエータ（連結部材）
５ａ        基端部
５ｂ        ロッド
６          高電圧発生ユニット
７          第２アクチュエータ
７ａ        基端部
７ｂ        ロッド
Ｃ          被治療者
Ｆ          床面
【図１】
2007202806.tif 000003
【図２】
2007202806.tif 000004
【図３】
2007202806.tif 000005
【図４】
2007202806.tif 000006
【図５】
2007202806.tif 000007
【図６】
2007202806.tif 000008
【図７】
2007202806.tif 000009
【図８】
2007202806.tif 000010